(57)【要約】【課題】大量の湯を使用した後の翌日以降の沸き上げ量を抑制できるようにする。【解決手段】第１所定期間に使用された湯の使用量に応じた第１所定湯量の湯が加熱器２０により生成されてタンク１０に貯留されるよう貯湯制御を行う通常貯湯制御部（Ｓ２０４）と、第１所定期間に使用された湯の使用量が特定条件を満たしたか否かに基づいて当日にタンク内の湯が大量に使用されたと判定された場合、当日を除く第２所定期間に使用された湯の使用量に応じた第２所定湯量の湯が加熱器により生成されてタンクに貯留されるよう貯湯制御を行う特別貯湯制御部（Ｓ２１０）と、を備える。【選択図】図４
2019045074.tif 000002
【特許請求の範囲】
【請求項１】
水を加熱して湯を生成する加熱器（２０）と、
前記加熱器により加熱された湯を貯留するタンク（１０）と、
第１所定期間に使用された前記タンク内の前記湯の使用量を算出する使用湯量算出部（Ｓ１００）と、
前記使用湯量算出部により算出された前記第１所定期間に使用された前記湯の使用量に応じた第１所定湯量の湯が前記加熱器により生成されて前記タンクに貯留されるよう貯湯制御を行う通常貯湯制御部（Ｓ２０４）と、
前記使用湯量算出部により算出された前記第１所定期間に使用された前記湯の使用量が特定条件を満たしたか否かに基づいて当日に前記タンク内の前記湯が大量に使用されたか否かを判定する条件判定部（Ｓ２０２）と、
前記条件判定部により当日に前記タンク内の前記湯が大量に使用されたと判定された場合、当日を除く第２所定期間に使用された前記湯の使用量に応じた第２所定湯量の湯が前記加熱器により生成されて前記タンクに貯留されるよう貯湯制御を行う特別貯湯制御部（Ｓ２１０）と、を備えた貯湯式給湯装置。
【請求項２】
前記条件判定部は、当日を除く前記第２所定期間における所定時間帯の前記湯の使用量のばらつきが第１所定閾値よりも少なく、かつ、当日の前記湯の使用量が第２所定閾値よりも多い場合、前記使用湯量算出部により算出された前記湯の使用量が特定条件を満たし、当日に前記タンク内の前記湯が大量に使用されたと判定する請求項１に記載の貯湯式給湯装置。
【請求項３】
前記条件判定部は、当日の前記湯の使用量が、当日を除く前記第２所定期間における所定時間帯の前記湯の使用量の平均値よりも多い場合、前記使用湯量算出部により算出された前記湯の使用量が特定条件を満たし、当日に前記タンク内の前記湯が大量に使用されたと判定する請求項１に記載の貯湯式給湯装置。
【請求項４】
前記特別貯湯制御部は、当日を除く前記第２所定期間の前記湯の使用量に基づいて前記第２所定湯量を特定し、該第２所定湯量の湯が前記加熱器により生成されて前記タンクに貯留されるよう貯湯制御を行う請求項１ないし３のいずれか１つに記載の貯湯式給湯装置。
【請求項５】
前記特別貯湯制御部は、当日を除く前記第２所定期間における所定時間帯の前記湯の使用量に基づいて前記第２所定湯量を特定し、該第２所定湯量の湯が前記加熱器により生成されて前記タンクに貯留されるよう貯湯制御を行う請求項１ないし３のいずれか１つに記載の貯湯式給湯装置。
【請求項６】
前記特別貯湯制御部は、当日を除く前記第２所定期間における前記湯の使用量の平均値を当日の前記湯の使用量として前記第２所定湯量を特定し、該第２所定湯量の湯が前記加熱器により生成されて前記タンクに貯留されるよう貯湯制御を行う請求項１ないし３のいずれか１つに記載の貯湯式給湯装置。
【請求項７】
前記特別貯湯制御部は、当日を除く前記第２所定期間における所定時間帯の前記湯の使用量の平均値を当日の前記湯の使用量として前記第２所定湯量を特定し、該第２所定湯量の湯が前記加熱器により生成されて前記タンクに貯留されるよう貯湯制御を行う請求項１ないし３のいずれか１つに記載の貯湯式給湯装置。
【請求項８】
当日の前記湯の使用量および当日を除く前記第２所定期間における所定時間帯の前記湯の使用量のばらつきの少なくとも一方を表示部（４１０、４２０）に表示させる表示制御部（Ｓ３０２）を備えた請求項２に記載の貯湯式給湯装置。
【請求項９】
前記第１所定閾値および前記第２所定閾値の少なくとも一方の設定値の操作を受け付ける操作受付部（Ｓ４０２）を備え、
前記条件判定部は、前記操作受付部により受け付けられた前記第１所定閾値および前記第２所定閾値の少なくとも一方の設定値を用いて当日に前記タンク内の前記湯が大量に使用されたか否かを判定する請求項２または８に記載の貯湯式給湯装置。
【請求項１０】
当日の前記湯の使用量および当日を除く前記第２所定期間における所定時間帯の前記湯の使用量の平均値を表示する表示部（４１０、４２０）に表示させる表示制御部（Ｓ３０２）を備えた請求項３に記載の貯湯式給湯装置。
【請求項１１】
前記条件判定部により当日に前記タンク内の前記湯が大量に使用されたと判定された場合、当日に前記タンク内の前記湯が大量に使用された旨を報知する報知部（Ｓ２０８）を備えた請求項１ないし１０のいずれか１つに記載の貯湯式給湯装置。
【請求項１２】
前記特別貯湯制御部による前記貯湯制御の有効または無効を判定する有効判定部（Ｓ２０６）を備え、
前記特別貯湯制御部は、前記有効判定部により前記特別貯湯制御部による前記貯湯制御が有効と判定され、かつ、前記条件判定部により当日に前記タンク内の前記湯が大量に使用されたと判定された場合、当日を除く第２所定期間に使用された前記湯の使用量に応じた第２所定湯量の湯が前記加熱器により生成されて前記タンクに貯留されるよう貯湯制御を行う請求項１ないし１１のいずれか１つに記載の貯湯式給湯装置。
【発明の詳細な説明】
【技術分野】
【０００１】
本発明は、加熱器により加熱された湯を貯留するタンクを備えた貯湯式給湯装置に関するものである。
【背景技術】
【０００２】
この種の貯湯式給湯機として、特許文献１に記載されたものがある。この貯湯式給湯機は、水を加熱して湯を生成する加熱手段と、加熱手段により生成された湯を貯える貯湯タンクと、使用された湯の量を算出する使用湯量算出手段と、を備えている。この貯湯式給湯機は、過去所定期間に使用された湯の量を学習し、この学習した結果に基づいて貯湯量を適量に制御する。
【先行技術文献】
【特許文献】
【０００３】
【特許文献１】特許５８６２４６５号公報
【発明の概要】
【発明が解決しようとする課題】
【０００４】
上記特許文献１に記載された給湯機は、例えば、使用者が車を洗車したり汚れ物を洗ったりするなどして普段よりも大量の湯を使用してしまった場合、大量の湯を使用したことが学習されてしまう。この場合、翌日以降の沸き上げ量が多くなってしまい、ランニングコストが悪化してしまうといった問題がある。
【０００５】
本発明は上記問題に鑑みたもので、大量の湯を使用した後の翌日以降の沸き上げ量を抑制できるようにすることを目的とする。
【課題を解決するための手段】
【０００６】
上記目的を達成するため、請求項１に記載の発明は、水を加熱して湯を生成する加熱器（２０）と、加熱器により加熱された湯を貯留するタンク（１０）と、第１所定期間に使用されたタンク内の湯の使用量を算出する使用湯量算出部（Ｓ１００）と、使用湯量算出部により算出された第１所定期間に使用された湯の使用量に応じた第１所定湯量の湯が加熱器により生成されてタンクに貯留されるよう貯湯制御を行う通常貯湯制御部（Ｓ２０４）と、使用湯量算出部により算出された第１所定期間に使用された湯の使用量が特定条件を満たしたか否かに基づいて当日にタンク内の湯が大量に使用されたか否かを判定する条件判定部（Ｓ２０２）と、条件判定部により当日にタンク内の湯が大量に使用されたと判定された場合、当日を除く第２所定期間に使用された湯の使用量に応じた第２所定湯量の湯が加熱器により生成されてタンクに貯留されるよう貯湯制御を行う特別貯湯制御部（Ｓ２１０）と、を備えている。
【０００７】
このような構成によれば、第１所定期間に使用された湯の使用量が特定条件を満たしたか否かに基づいて当日にタンク内の湯が大量に使用されたと判定された場合、特別貯湯制御部により、当日を除く第２所定期間に使用された湯の使用量に応じた第２所定湯量の湯が加熱器により生成されてタンクに貯留されるよう貯湯制御が行われるので、大量の湯を使用した後の翌日以降の沸き上げ量を抑制することができる。
【０００８】
なお、この欄および特許請求の範囲で記載した各手段の括弧内の符号は、後述する実施形態に記載の具体的手段との対応関係を示すものである。
【図面の簡単な説明】
【０００９】
【図１】第１実施形態の貯湯式給湯装置の構成図である。
【図２】第１実施形態の貯湯式給湯装置の制御装置と各部の関係を示した構成図である。
【図３】制御装置による使用湯量記憶処理のフローチャートである。
【図４】制御装置による貯湯制御処理のフローチャートである。
【図５】制御装置による使用湯量表示処理のフローチャートである。
【図６】当日の湯の使用量の表示例を示した図である。
【図７】制御装置による特定条件の設定処理のフローチャートである。
【発明を実施するための形態】
【００１０】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示してなくとも実施形態同士を部分的に組み合わせることも可能である。
【００１１】
（第１実施形態）
第１実施形態に係る貯湯式給湯装置１００の構成について図１及び図２を参照して説明する。図１に示すように、給湯装置１００は、高温水を沸かすヒートポンプ式加熱装置としてのヒートポンプユニット２０と、タンクユニット９０と、給湯装置１００の作動を制御する制御装置４０と、を備えている。タンクユニット９０は、導入管１１によってその最下部に水が供給されるタンク１０、各種配管、各種弁等を含む。タンクユニット９０とヒートポンプユニット２０は、設置現場において一体化または離間して設置可能なように構成されている。また、浴槽８０内の浴槽水とタンク１０内の湯との間で熱交換するように構成される追い焚き装置７０により、追い焚き運転が行われる。
【００１２】
タンク１０は、給湯に用いる給湯用水を貯える容器であって、耐食性に優れた金属製、例えばステンレス製の容器であり、外周部に図示しない断熱材が配置されており、給湯用の湯を長時間に渡って保温することができる。
【００１３】
タンク１０は略円筒形形状であり、その底面に導入口１０ａが設けられている。この導入口１０ａにはタンク１０内に水道水を供給する導入用流路としての導入管１１が接続されている。この導入管１１には給水サーミスタ５１及び減圧弁７８が設けられている。給水サーミスタ５１は、導入管１１内の温度を検出するための電気信号を制御装置４０に出力する。また、減圧弁７８は、導入管１１を流れてくる水道水の水圧を所定圧に減圧したり、断水等における湯の逆流を防止したりすることができる。
【００１４】
また、導入管１１には、導入口１０ａの上流側の部位から分岐する給水管１１Ａが設けられている。給水管１１Ａの下流端は、給湯用混合弁１５及び風呂用混合弁１６に接続されている。
【００１５】
タンク１０の最上部には高温導出口１０ｂが設けられ、この高温導出口１０ｂにはタンク１０内に貯えられた給湯用の湯のうち、高温の湯を導出するための給湯用流路としての高温取出管１２が接続されている。また、高温取出管１２の経路途中には、逃がし弁７９が配設された排出配管が接続されており、タンク１０内の圧力が所定圧以上に上昇した場合には、タンク１０内の湯を外部に排出して、タンク１０等にダメージを与えないようになっている。
【００１６】
タンクの中間部１０ｃには、中間部配管１０ｃ１の一端が接続されている。中間部配管１０ｃ１には、中間部１０ｃ側への逆流を防止する逆止弁７７が設けられている。中間部配管１０ｃ１の他端は、中温用混合弁１４によって高温取出管１２に接続されている。中間部１０ｃは、例えば、タンク１０の高さ寸法を三等分し、上から順番に、上部（高温湯領域ともいう）、中間部（中温湯領域ともいう）、下部（低温湯領域ともいう）と区画した場合、中間部に含まれる部位に設けられる。
【００１７】
タンク１０の外壁面には、給湯用水の貯湯量及び貯湯温度を検出するための貯湯温度検出手段としての複数（本例では７つ）のタンク水温サーミスタ５５ａ〜５５ｇが縦方向（タンク１０の高さ方向）にほぼ等間隔に配置されている。タンク水温サーミスタ５５ａ〜５５ｇはタンク１０内に満たされた給湯用水の各水位レベルでの温度信号を制御装置４０に出力する。
【００１８】
タンク水温サーミスタ５５ａ〜５５ｇから送信される温度情報に基づいて、タンク１０内の上方の沸き上げられた温水とタンク内の下方の沸き上げられる前の水との温度境界位置を検出することができ、これにより貯湯量が検出できる。例えば、あるタンク水温サーミスタの検出温度が貯湯熱量として使用できる所定温度を超えていた場合は、タンク１０内の最上部からそのタンク水温サーミスタの位置までは給湯に使用できる湯が貯まっていることになる。
【００１９】
また、これらのタンク水温サーミスタ５５ａ〜５５ｇのうち、タンクの高さの中ほどに位置する水温サーミスタ５５ｃ、５５ｄは、中間部１０ｃ、タンク流入部７４ｃを流通する湯水の温度を検出する機能を有する。
【００２０】
タンク１０の下部には、ヒートポンプ側回路２１を形成する配管が接続される吸入口１０ｄが設けられている。タンク１０の上部には、ヒートポンプ側回路２１を形成する配管が接続される吐出口１０ｅが設けられている。吐出口１０ｅには、ヒートポンプユニット２０側から吐出された湯が上部からタンク１０の内部に流入する。
【００２１】
ヒートポンプ側回路２１の一部は、ヒートポンプユニット２０が有する水・冷媒熱交換器の水側通路となっている。ヒートポンプ側回路２１における、当該水側通路と吐出口１０ｅとの間には、切替弁２２が設けられている。
【００２２】
ヒートポンプ側回路２１は、給湯出口配管２１ａ、上部配管２１ｂおよび下部配管１２ｃを有している。給湯出口配管２１ａは、ヒートポンプユニット２０の出口側と切替弁２２との間を接続しており、上部配管２１ｂは、切替弁２２と吐出口１０ｅとの間を接続している。上部配管２１ｂは、ヒートポンプユニット２０で加熱された高温の湯をタンク１０内に流入させる上部流入管としても機能する。下部配管１２ｃは、タンク１０の底面に設けられた吸入口１０ｄとヒートポンプユニット２０の入口側との間を接続している。
【００２３】
切替弁２２は、ヒートポンプユニット２０の出口通路を、タンク１０の吐出口１０ｅ側に連通させるか、バイパス配管２３に連通させるかを切り替えることができる切替手段として機能する。切替弁２２は、制御装置４０に電気的に接続されており、制御装置４０によって制御される。
【００２４】
バイパス配管２３は、吸入口１０ｄと吐出口１０ｅとを水・冷媒熱交換器の水側通路を経由しないで連通させる第１連通配管を形成する。また、バイパス配管２３は、水側通路から流出した湯水をタンク１０の内部を経由しないで水側通路に戻せる通路を形成する。
【００２５】
ヒートポンプユニット２０は、冷媒として臨界温度の低い二酸化炭素を使用するヒートポンプサイクルと、ヒートポンプ側回路２１中に設置された給水ポンプとから構成されている。超臨界のヒートポンプサイクルによれば、一般的なヒートポンプサイクルよりも高温、例えば、８５℃〜９０℃程度の湯をタンク１０内に貯えることができる。
【００２６】
ヒートポンプサイクルは、少なくとも電動式の圧縮機、水・冷媒熱交換器、電気式の膨張弁、空気熱交換器、及びアキュムレータの冷凍サイクル機能部品が配管で環状に接続されることにより形成されている。さらに、空気熱交換器の近傍には、空気熱交換器に対して強制風を提供する送風機が設けられている。
【００２７】
ヒートポンプユニット２０は、制御装置４０からの制御信号により作動するとともに、その作動状態を浴室内コントローラ４１の表示部４１０、浴室外コントローラ４２の表示部４２０に表示するように構成されている。表示部４１０、表示部４２０は、例えば、各コントローラに装備された液晶画面である。ヒートポンプユニット２０は、主に料金設定の安価な深夜時間帯の深夜電力を利用し、圧縮機の回転数制御により、タンク１０内の給湯用水を加熱する沸き上げ運転を行う。また、ヒートポンプユニット２０は、深夜時間帯以外の時間帯においても、タンク１０内の貯湯熱量が不足してくると沸き上げ運転を行う。また、圧縮機の回転数は、種々の運転条件下において規定の能力が出るように制御装置４０により制御される。
【００２８】
水・冷媒熱交換器は、圧縮機の吐出口より吐出された高温・高圧の冷媒によって水を加熱して湯とする加熱用熱交換器である。水・冷媒熱交換器の冷媒側通路は、圧縮機の吐出口より吐出された高圧のガス冷媒と水側通路を流れる給湯用水とを熱交換する冷媒流路管により構成されている。水・冷媒熱交換器は、例えば、冷媒側通路と水側通路の対向する面とが熱交換可能に密着するように配置された二層構造となっている。水側通路は、冷媒側通路の冷媒入口部から冷媒出口部に至る冷媒流路の全長で冷媒とヒートポンプ側回路を流通する水との熱交換が行われるように構成されている。そして、水側通路の出口部から所定の沸き上げ温度（６５℃〜９０℃程度）相当の温水を取り出した場合に、規定の熱交換性能を出せるように構成されている。
【００２９】
膨張弁は、水・冷媒熱交換器から流出する高圧の冷媒を減圧する減圧手段であり、制御装置４０によって弁開度が電気的に制御される。空気熱交換器は、膨張弁で減圧された冷媒を送風機によって送風される室外空気との熱交換によって蒸発気化させ、圧縮機にガス冷媒を供給する。その送風機は、空気熱交換器の熱交換性能を確保するように制御装置４０によって回転数が制御される。アキュムレータは、空気熱交換器から流出する冷媒を気液分離して、気相冷媒のみ圧縮機に吸引させるとともに、サイクル中の余剰冷媒を貯える。
【００３０】
ヒートポンプ側回路２１において、吸入口１０ｄと水側通路との間には、給水ポンプが配設されている。給水ポンプは、内蔵される電動モータによって回転駆動されて、沸き上げ運転時に、タンク１０内の給湯用水を吸入口１０ｄから吸入し、水側通路内で加熱した後、タンク１０の吐出口１０ｅあるいはタンク流入部７４ｃに還流させるように作動する。給水ポンプは、沸き上げ温度サーミスタによって検出される水側通路の出口側水温が、種々の運転条件下において決定される所定の目標沸き上げ温度となるように制御装置４０によって回転数が制御される。
【００３１】
入水温度サーミスタは、水・冷媒熱交換器に供給される給湯用水の温度を検出するための電気信号を出力する。沸き上げ温度サーミスタは水・冷媒熱交換器の出口での沸き上げ温度を検出するための電気信号を出力する。吐出冷媒温度サーミスタは圧縮機から吐出される冷媒の温度を検出するための電気信号を出力する。出口冷媒温度サーミスタは水・冷媒熱交換器の出口での冷媒温度を検出するための電気信号を出力する。いずれのサーミスタも電気信号を制御装置４０に出力する。また、圧力センサは冷媒側通路の出口での冷媒圧力を検出するための電気信号を制御装置４０に出力する。
【００３２】
中温用混合弁１４は、高温取出管１２と中間部配管１０ｃ１との合流部位に設けられている。中温用混合弁１４は、高温側の高温取出管１２と、中温側の中間部配管１０ｃ１とのそれぞれの開口面積比を調節して、高温取出管１２から取り出した高温の湯と中間部配管１０ｃ１から取り出した中温の湯との混合比を調節する。中温用混合弁１４は、当該混合比を調節することにより、給湯用配管１７、給湯用混合弁１５、風呂用混合弁１６、風呂用配管１８等に流通させる湯の温度を調節する温度調節弁である。
【００３３】
中温用混合弁１４は、タンク水温サーミスタ５５ａ〜５５ｇ、湯温サーミスタ５２により検出される温度信号に基づいて制御装置４０によって制御される。湯温サーミスタ５２は、中温用混合弁１４の出口側に設けられて、中温用混合弁１４によって混合された湯の温度を検出する。ここでは、湯温サーミスタ５２で検出された温度が所定温度、例えば使用者が設定する設定温度＋２〜５℃程度となるように、中間部配管１０ｃ１から取り出した中温の湯をタンク１０内の高温湯に混合させて当該所定温度に温度調節している。中温用混合弁１４の出口側には、給湯用流路としての給湯用配管１７と、給湯用配管１７から分岐する湯張り配管としての風呂用配管１８とが接続されている。
【００３４】
給湯用配管１７は、その下流端の端末としての給湯端末（カラン、シャワー等）へ設定温度に温度調節された湯を導く配管である。給湯用配管１７の流路の中途には、温度調節手段としての給湯用混合弁１５と温度検出手段としての給湯サーミスタ５３、流量カウンタ５９、逆止弁６０等が設けられている。給湯サーミスタ５３は給湯用混合弁１５によって混合された湯水の温度を検出するための電気信号を制御装置４０に出力する。流量カウンタ５９は、給湯用混合弁１５からの湯の流れを検出し検出信号を制御装置４０に出力する。
【００３５】
風呂用配管１８は、その下流端が浴槽水回路７１に接続されて、浴槽水回路７１を介して浴槽８０のアダプタ８１に通じる。風呂用配管１８は、浴槽８０内に湯張り、差し湯、たし湯等を行う時に、設定温度に温度調節された湯を浴槽８０内に導く配管である。風呂用配管１８の流路の中途には、下流に向けて順に、風呂用混合弁１６、風呂用サーミスタ５４、湯張り用電磁弁６１、逆止弁６２、湯張り用流量カウンタ６３、逆止弁６４が設けられている。さらに、風呂用混合弁１６と湯張り用電磁弁６１の間と、逆止弁６２と湯張り用流量カウンタ６３の間とを連結する配管には、排水弁６８が設けられている。これら、風呂用混合弁１６、風呂用サーミスタ５４、湯張り用電磁弁６１、逆止弁６２、湯張り用流量カウンタ６３、逆止弁６４及び排水弁６８は、風呂注湯ユニット６９を構成する。
【００３６】
給湯用混合弁１５、風呂用混合弁１６は、それぞれ給湯用配管１７、風呂用配管１８の末端で出湯される湯の温度を調節する温度調節弁である。給湯用混合弁１５、風呂用混合弁１６は、それぞれの開口面積比（中温用混合弁１４で温度調節された給湯用水側の開度と給水管１１Ａから供給される給湯水側の開度の比率）を調節することで出湯される湯温を設定温度に調節する。給湯用混合弁１５、風呂用混合弁１６の作動は、給水サーミスタ５１、湯温サーミスタ５２、給湯サーミスタ５３、風呂用サーミスタ５４が検出する温度に係る電気信号に基づいて、制御装置４０で制御される。
【００３７】
風呂用サーミスタ５４は、風呂用混合弁１６の下流側で風呂用配管１８内の温度を検出するための電気信号を制御装置４０に出力する。湯張り用電磁弁６１は、風呂用配管１８の流路を開閉する弁であり、浴槽８０内への湯張り、差し湯、たし湯等を行う時に制御装置４０により制御される。湯張り用流量カウンタ６３は、風呂用混合弁１６出口の湯の流れを検出し検出信号を制御装置４０に出力する。湯張り用流量カウンタ６３が風呂用混合弁１６出口の湯の流れを検出した時は、風呂用配管１８の湯張り用電磁弁６１が開弁されて出湯されていることを示す。
【００３８】
逆止弁６２、６４は、浴槽水回路７１を循環する浴槽水を風呂用混合弁１６側に逆流させないための弁である。循環温サーミスタ５６は、浴槽水回路７１を循環する浴槽水の温度を検出するための電気信号を制御装置４０に出力する。風呂循環センサ６５は、浴槽水回路７１を浴槽水が循環しているか否かを検出可能な流水センサである。追い焚きサーミスタ５７は、追い焚き用熱交換器７３で加熱された後の浴槽水の温度を検出するための電気信号を制御装置４０に出力する。
【００３９】
浴槽８０には、底部に設けられた排水口を開閉する自動排水栓５０が設けられている。自動排水栓５０の開閉作動は、給湯ＥＣＵ３０によって制御される。水位センサ６６は、浴槽８０内に湯張りされた浴槽水の湯量、言い換えれば浴槽８０内の水位レベルを求めるための水圧を検出する水位検出手段であり、水圧信号を制御装置４０に出力する。つまり、制御装置４０は、当該水圧信号に基づいて浴槽８０内の水位、水量を求める。風呂循環ポンプ６７は、浴槽８０内の浴槽水を追い焚き用熱交換器７３に圧送する電動ポンプであり、制御装置４０によってその作動が制御される。
【００４０】
追い焚き運転を行う時は、風呂循環ポンプ６７を駆動させることにより、浴槽８０内の浴槽水が浴槽水回路７１を循環して追い焚き用熱交換器７３で加熱される。追い焚き運転では、循環温サーミスタ５６により検出される浴槽水温度が設定温度になるまで制御が継続される。
【００４１】
給湯装置１００は、タンク１０の外部に配置された追い焚き用熱交換器７３と、追い焚き用熱交換器７３とタンク１０の内部とを連絡する１次側回路７４とを備える。追い焚き用熱交換器７３における給湯用水側通路７３ｂの入口部は、水・冷媒熱交換器２６の水側通路２６ｂの出口部と切替弁２２とを接続する配管に位置する通路部位７４ａと、第２連通配管７４ｂによって連通する。したがって、給湯用水側通路７３ｂの流入部は、ヒートポンプ側回路２１における、水側通路２６ｂの流出部と切替弁２２とを接続する通路に、第２連通配管７４ｂによって接続されている。
【００４２】
また、通路部位７４ａは、切替弁２２を経由してタンク１０の吐出口１０ｅに連通している。このように第２連通配管７４ｂは、ヒートポンプユニット２０を流出した湯水が切替弁２２に至るまでの通路部位７４ａと追い焚き用熱交換器７３の流入部とを接続する連絡通路をなす。
【００４３】
給湯用水側通路７３ｂの出口部は、タンク１０におけるタンク流入部７４ｃに配管によって接続されている。タンク流入部７４ｃは、中間部１０ｃと同様に、中間部に含まれる部位に設けられる。給湯用水側通路７３ｂの出口部とタンク流入部７４ｃを接続する配管には、給湯用水側通路７３ｂの出口部側から順番に、逆止弁７６、１次側サーミスタ５８、１次側循環ポンプ７５が設けられている。
【００４４】
逆止弁７６は、ヒートポンプユニット２０からの沸き上げ時に切替弁２２をタンク１０の上部へ蓄熱する際に、第２連通配管７４ｂを経由して給湯用水側通路７３ｂへ湯が流入しないようにする弁である。逆止弁７６は、逆止弁７６の開弁圧を利用する。なお、逆止弁７６は、湯水が逆流して追い焚き用熱交換器７３へ流入しないように、通路を開閉する開閉弁に置き換えてもよい。この構成により、ヒートポンプユニット２０からの沸き上げ時の湯が追い焚き用熱交換器７３を経由してタンク１０内へ流入することを回避できる。また、高温、中温または低温の湯水が流入し、停留してしまう状態を回避することができる。
【００４５】
１次側循環ポンプ７５は、制御装置４０によって制御されて、タンク１０内の給湯用水やヒートポンプユニット２０で沸き上げた高温水を１次側回路７４に循環させることができる。１次側サーミスタ５８は、給湯用水側通路７３ｂの出口部から流出した水の温度を検出するための電気信号を制御装置４０に出力する。
【００４６】
１次側回路７４は、一つには、タンク流入部７４ｃから吐出口１０ｅに至るタンク１０の内部と、吐出口１０ｅからタンク流入部７４ｃに至る配管経路と、を含む経路を構成する回路でもある。また、１次側回路７４は、タンク流入部７４ｃから吐出口１０ｅに至るタンク１０の内部と、タンク１０の吸入口１０ｄから、水・冷媒熱交換器の水側通路及び第２連通配管７４ｂを経由してタンク流入部７４ｃに至る配管経路と、を含む経路を構成する回路でもある。また、１次側回路７４は、タンク１０の吸入口１０ｄ、バイパス配管２３、第２連通配管７４ｂを経由し、タンク流入部７４ｃに至る経路を構成する回路でもある。
【００４７】
追い焚き装置７０は、浴槽水回路７１と、追い焚き用熱交換器７３と、を含んで構成されている。浴槽水回路７１は、浴槽８０と追い焚き用熱交換器７３の浴槽水側通路７３ａとを環状に接続する回路である。追い焚き用熱交換器７３は、熱交換により、浴槽水回路７１を循環する浴槽水を、タンク１０内に貯えた湯やヒートポンプユニット２０で沸き上げた湯によって加熱するタンク外熱交換器である。
【００４８】
タンク１０内に貯えた湯を追い焚きの熱源にするためには、以下のように各部を制御する。制御装置４０は、タンク１０の吐出口１０ｅと通路部位７４ａとが連絡するように切替弁２２を切り替え、１次側循環ポンプ７５を駆動する。タンク１０内の湯は、１次側循環ポンプ７５の駆動力により、吐出口１０ｅから流れ出て第２連通配管７４ｂを経由して追い焚き用熱交換器７３に至る。タンク１０内の湯は、追い焚き用熱交換器７３の給湯用水側通路７３ｂを通過するときに浴槽水側通路７３ａを流れる浴槽水と熱交換して浴槽水を加熱した後、タンク流入部７４ｃからタンク１０内の中間部に戻るようになる。
【００４９】
制御装置４０は、マイクロコンピュータを主体として構成される。制御装置４０は、各種のセンサ、サーミスタ、流量カウンタ等によって検出された信号等が入力される入力部を備える。制御装置４０は、入力部に入力された信号に基づく各種情報と内蔵する演算プロプラム等を用いた所定の判定を実行する判定部４０１を備える。制御装置４０は、予め制御プログラム等を記憶する記憶部４０２を備える。記憶部４０２は、例えば、フラッシュメモリやＲＡＭで構成され、記憶されているデータの読み出しや書き込み、データの更新、学習を行う。
【００５０】
制御装置４０には、各サーミスタ５１〜５８からの温度信号、流量カウンタ５９及び湯張り用流量カウンタ６３からの流量信号、風呂循環センサ６５からの浴槽水流通信号、水位センサ６６からの水位信号、各コントローラからの入力信号等が入力される。制御装置４０は、これらの信号に基づいて、各種の混合弁１４〜１６、ヒートポンプユニット２０、切替弁２２、湯張り用電磁弁６１、風呂循環ポンプ６７等を制御する作動制御部４００を備える。例えば、制御装置４０は、貯湯ＥＣＵ、ヒートポンプユニット２０を制御するヒートポンプＥＣＵ、またはこれらのＥＣＵを統合するシステムＥＣＵから構成することができる。
【００５１】
また、制御装置４０は、温水として使用された使用熱量の実績、例えば、ヒートポンプユニット２０の運転実績、給湯や湯張りに相当する給湯実績等を、毎日継続して記憶部４０２に記憶する。記憶部４０２は、例えば、ヒートポンプユニット２０の運転実績を含む過去の使用熱量の実績を所定期間分記憶しておくことができ、当該所定期間からはみ出た古い実績は新しい実績に随時書き換えられる。記憶部４０２は、所定期間の一例として過去１週間分の使用熱量の実績を記憶するようにしている。そして、１週間分の使用熱量の実績は、直近の１日の実績が記憶されるタイミングになると、最も古い１日の実績が記憶部４０２から消去され、直近の１日の実績が書き込まれることになる。
【００５２】
制御装置４０の作動制御部４００は、水位センサ６６からの水位信号、判定部４０１の判定結果等に基づいて、自動排水栓５０、浴室内コントローラ４１、浴室外コントローラ４２等を制御する。したがって、作動制御部４００は、沸き上げ運転に関するヒートポンプユニット２０の作動、浴槽８０への自動湯張り運転が設定された場合の湯張り運転、浴槽８０の残り湯を排水する排水運転等を制御する。
【００５３】
浴室内コントローラ４１は、浴室の壁に設けられ、入浴者による運転操作が可能なスイッチ部と、運転状態が表示される表示部とを備えるリモコンである。浴室外コントローラ４２は、浴室内コントローラ４１と同様の構成を有し、浴室以外の部屋の壁、例えば、キッチンやリビングの壁に設けられるリモコンである。これらのコントローラには、操作スイッチとして、給湯設定温度スイッチ、風呂自動スイッチ、湯張り設定温度スイッチ、追い焚きスイッチ、追い焚き設定温度スイッチ、風呂熱回収スイッチ、特別貯湯制御有効スイッチ等が設けられている。コントローラ、浴槽８０、シャワー以外の給湯装置の各部は、屋外等の適所に設置されている。
【００５４】
次に、給湯装置１００が実施する運転モードを説明する。給湯装置１００は、浴槽水を加熱する追い焚き運転、浴槽水の熱をタンク１０の内部に回収する風呂熱回収運転、及びヒートポンプユニット２０の沸き上げ運転（以下、ＨＰ沸き上げ運転ともいう）の各運転モードを実施できる。ここでは、追い焚き運転および風呂熱回収運転についての説明を省略する。
【００５５】
（ヒートポンプユニット２０の沸き上げ運転）
制御装置４０は、ヒートポンプユニット２０に対して作動指示をし、タンク１０内の下部側の貯湯水をヒートポンプ側回路２１に循環させヒートポンプユニット２０で加熱して、沸き上げられた高温の湯をタンク１０に貯めるＨＰ沸き上げ運転を実施する。タンク１０に貯湯するＨＰ沸き上げ運転は、第１の沸き上げ運転及び第２の沸き上げ運転を含む。第１の沸き上げ運転は、タンク１０の下部の水をヒートポンプユニット２０で沸き上げるが、まだ十分な温度となっていない場合に、切替弁２２によって、ヒートポンプユニット２０の出口通路とバイパス配管２３を連通する連通通路を設定する運転である。この第１の沸き上げ運転では、低温の湯がタンク１０の上部に流入しないようにする。
【００５６】
第２の沸き上げ運転は、タンク１０の下部の水をヒートポンプユニット２０で沸き上げ、一定の温度（所定の温度）になった後、切替弁２２によって、ヒートポンプユニット２０の出口通路と吐出口１０ｅとを連通する連通通路を設定する運転である。第２の沸き上げ運転では、湯をタンク１０の上部に取り入れる。
【００５７】
次に、制御装置４０が実施する使用湯量記憶処理について図３を用いて説明する。図３は、使用湯量を算出して記憶部４０２に記憶させる使用湯量記憶処理のフローチャートである。制御装置４０は、予め設定された開始時刻（本実施形態では、７時００分）になる毎に、図３に示す処理を実施する。
【００５８】
まず、Ｓ１００にて制御装置４０は、所定時間帯の使用湯量を特定する。ここでは、流量カウンタ５９および湯張り用流量カウンタ６３より出力される検出信号に基づいてタンク１０内の湯の湯量を特定する。
【００５９】
次に、Ｓ１０２にて制御装置４０は、Ｓ１００にて特定したタンク１０内の湯の湯量を記憶部４０２に記憶させる。
【００６０】
次に、Ｓ１０４にて制御装置４０は、一定時間が経過したか否かを判定する。具体的には、Ｓ１０２にて湯の流量が記憶部４０２に記憶されてから一定時間（本実施形態では、１時間）が経過したか否かを判定する。
【００６１】
ここで、Ｓ１０２にて湯の流量が記憶部４０２に記憶されてから一定時間が経過してない場合、Ｓ１０４の判定を繰り返し実施する。また、Ｓ１０２にて湯の流量が記憶部４０２に記憶されてから一定時間が経過すると、Ｓ１０６にて制御装置４０は、終了時刻（本実施形態では、１７時００分とする）になったか否かを判定する。
【００６２】
ここで、終了時刻になっていない場合、Ｓ１００に戻り、制御装置４０は、所定時間帯の使用湯量を特定する。ここでは、流量カウンタ５９および湯張り用流量カウンタ６３より出力される検出信号に基づいてタンク１０内の湯の流量を特定する。具体的には、所定時間（本実施形態では、１時間）前に特定したタンク１０内の湯の湯量との差分により湯の使用量を特定する。
【００６３】
次に、Ｓ１０２にて制御装置４０は、Ｓ１００にて特定した湯の使用量を記憶部４０２に記憶させる。上記処理を繰り返し実施することで、所定時間帯（本実施形態では、７時００分〜１７時００分）の湯の使用量が記憶部４０２に記憶される。
【００６４】
そして、終了時刻（本実施形態では、１７時００分とする）になると、制御装置４０は、本処理を終了する。なお、予め設定された開始時刻になる毎に、上記処理を繰り返し実施することで、第１所定期間（例えば、直近の１週間）における所定時間帯（本実施形態では、７時００分〜１７時００分）の湯の使用量が記憶部４０２に学習し記憶される。本実施形態では、湯の使用量のばらつきの少ない７時００分〜１７時００分の湯の使用量が記憶部４０２に記憶される。
【００６５】
次に、制御装置４０による貯湯制御処理について図４を用いて説明する。制御装置４０は、ヒートポンプユニット２０の沸き上げ運転の開始時に図４に示す処理を実施する。
【００６６】
まず、Ｓ２００にて制御装置４０は、使用湯量の読み出しを行う。具体的には、記憶部４０２から第１所定期間（例えば、直近の１週間）における所定時間帯（本実施形態では、７時００分〜１７時００分）の湯の使用量を読み出す。
【００６７】
次に、Ｓ２０２にて制御装置４０は、湯の使用量が特定条件を満たすか否かを判定する。具体的には、制御装置４０は、当日の湯の使用量が特定条件を満たしたか否かに基づいてタンク内の湯の使用量が大量であるか否かを判定する。本実施形態では、当日を除く第１所定期間における所定時間帯の湯の使用量のばらつきが第１所定閾値よりも少なく、かつ、当日の湯の使用量が第２所定閾値よりも多い場合、湯の使用量が特定条件を満たし、当日にタンク内の湯が大量に使用されたと判定する。なお、本実施形態では、所定期間における所定時間帯の湯の使用量のばらつきを、所定期間における所定時間帯の湯の使用量の標準偏差として求める。
【００６８】
ここで、当日を除く第１所定期間における所定時間帯の湯の使用量のばらつきが第１所定閾値よりも多い場合、あるいは、当日の湯の使用量が第２所定閾値以下の場合、Ｓ２０２にて当日にタンク内の湯が大量に使用されていないと判定され、Ｓ２０４にて制御装置４０は、通常貯湯制御を実施する。
【００６９】
制御装置４０は、この通常貯湯制御にて、記憶部４０２に記憶された第１所定期間に使用された湯の使用量に応じた第１所定湯量の湯がヒートポンプユニット２０により生成されてタンク１０に貯留されるよう貯湯制御を行う。具体的には、制御装置４０は、湯切れ（タンク１０内の湯がなくなること）が生じないように、第１所定期間の湯の使用量の平均値に一定量を加算して第１所定湯量を求め、この第１所定湯量の湯がヒートポンプユニット２０により生成されてタンク１０に貯留されるよう貯湯制御を行う。
【００７０】
この通常貯湯制御により、第１所定期間に使用された湯の使用量が多い場合には、比較的大量の湯がヒートポンプユニット２０により生成されてタンク１０に貯留され、第１所定期間に使用された湯の使用量が少ない場合には、比較的少量の湯がヒートポンプユニット２０により生成されてタンク１０に貯留される。
【００７１】
また、当日を除く第１所定期間における所定時間帯の湯の使用量のばらつきが第１所定閾値よりも少なく、かつ、当日の湯の使用量が第２所定閾値よりも多い場合、Ｓ２０２にて当日にタンク内の湯が大量に使用されたと判定される。
【００７２】
そして、Ｓ２０６にて制御装置４０は、特別貯湯制御が有効設定となっているか否かを判定する。具体的には、制御装置４０は、浴室内コントローラ４１および浴室外コントローラ４２に設けられた特別貯湯制御有効スイッチにより特別貯湯制御が有効に設定されている場合には、特別貯湯制御が有効設定となっていると判定し、特別貯湯制御有効スイッチにより特別貯湯制御が無効に設定されている場合には、特別貯湯制御が無効設定となっていると判定する。
【００７３】
ここで、特別貯湯制御有効スイッチにより特別貯湯制御が有効に設定されている場合、Ｓ２０８にて制御装置４０は、特別貯湯制御を実施することを報知する。具体的には、浴室内コントローラ４１の表示部４１０および浴室外コントローラ４２の表示部４２０に特別貯湯制御を実施すること表示するとともに浴室内コントローラ４１および浴室外コントローラ４２に設けられたスピーカから発音させる。
【００７４】
次に、Ｓ２１０にて制御装置４０は、特別貯湯制御を実施する。制御装置４０は、この特別貯湯制御にて、記憶部４０２に記憶された第１所定期間から当日を除いた第２所定期間に使用された湯の使用量に応じた第２所定湯量の湯がヒートポンプユニット２０により生成されてタンク１０に貯留されるよう貯湯制御を行う。具体的には、制御装置４０は、湯切れ（タンク１０内の湯がなくなること）が生じないように、第１所定期間から当日を除いた第２所定期間の湯の使用量の平均値に一定量を加算して第２所定湯量を求め、この第２所定湯量の湯がヒートポンプユニット２０により生成されてタンク１０に貯留されるよう貯湯制御を行う。
【００７５】
つまり、この特別貯湯制御では、大量の湯を使用した当日を除いた第２所定期間に使用された湯の使用量に応じた第２所定湯量の湯がヒートポンプユニット２０により生成されてタンク１０に貯留される。したがって、当日に大量の湯を使用した場合でも、翌日以降の沸き上げ量が抑制される。
【００７６】
また、当日を除く第１所定期間における所定時間帯の湯の使用量のばらつきが第１所定閾値よりも少なく、かつ、当日の湯の使用量が第２所定閾値よりも多い場合でも、Ｓ２０６にて特別貯湯制御が無効設定となっていると判定された場合には、Ｓ２０４にて制御装置４０は、通常貯湯制御を実施する。
【００７７】
次に、制御装置４０による使用湯量表示処理について図５を用いて説明する。制御装置４０は、ヒートポンプユニット２０の沸き上げ運転の開始時に図４に示す処理と並行して図５に示す処理を実施する。
【００７８】
まず、Ｓ３００にて制御装置４０は、当日の湯の使用量を特定するとともに第１所定期間から当日を除いた第２所定期間における所定時間帯の湯の使用量のばらつきを標準偏差として特定する。
【００７９】
次に、Ｓ３０２にて制御装置４０は、当日の湯の使用量および第１所定期間から当日を除いた第２所定期間における所定時間帯の湯の使用量のばらつきを浴室内コントローラ４１の表示部４１０および浴室外コントローラ４２の表示部４２０に表示させ、本処理を終了する。なお、本実施形態では、湯の使用量のばらつきとして特定された標準偏差が閾値以上であれば「ばらつき大」として表示し、標準偏差が閾値未満であれば「ばらつき小」として表示する。
【００８０】
このようにして、当日の湯の使用量および第１所定期間から当日を除いた第２所定期間における所定時間帯の湯の使用量のばらつき（標準偏差）が浴室内コントローラ４１の表示部４１０および浴室外コントローラ４２の表示部４２０に表示される。
【００８１】
図６は、所定時間帯を０時００分〜翌日の０時００分とした場合の当日の湯の使用量の示例を表したものである。図に示すように、浴室内コントローラ４１の表示部４１０および浴室外コントローラ４２の表示部４２０に表示から、当日の湯の使用量の時間変化を死人することができる。
【００８２】
次に、制御装置４０による特定条件の設定処理ついて図７を用いて説明する。制御装置４０は、ユーザの浴室内コントローラ４１または浴室外コントローラ４２に対する操作に応じて図７に示す特定条件の設定処理を実施する。
【００８３】
まず、Ｓ４００にて制御装置４０は、特定条件の設定画面を表示させる。具体的には、制御装置４０は、浴室内コントローラ４１の表示部４１０または浴室外コントローラ４２の表示部４２０に、Ｓ１０４の判定で使用した第１所定閾値および第２所定閾値の設定画面を表示させる。ユーザは、好みに応じて設定画面に表示された第１所定閾値および第２所定閾値の設定を変更することが可能となっている。
【００８４】
次に、Ｓ４０２にて制御装置４０は、特定条件の設定操作を受け付ける。制御装置４０は、ユーザによる第１所定閾値および第２所定閾値の設定の変更操作を受け付ける。
【００８５】
次に、Ｓ４０４にて制御装置４０は、特定条件を記憶部４０２に記憶させる。具体的には、制御装置４０は、第１所定閾値および第２所定閾値の設定値を記憶部４０２に記憶させる。
【００８６】
このように、Ｓ１０４の判定で使用した第１所定閾値および第２所定閾値の設定値がユーザ操作に応じて変更される。
【００８７】
以上、説明したように、本実施形態の貯湯式給湯装置１００は、水を加熱して湯を生成するヒートポンプユニット２０と、ヒートポンプユニット２０により加熱された湯を貯留するタンク１０と、を備えている。また、貯湯式給湯装置１００は、第１所定期間に使用されたタンク内の湯の使用量を算出する使用湯量算出部と、この使用湯量算出部により算出された第１所定期間に使用された湯の使用量に応じた第１所定湯量の湯が加熱器により生成されてタンクに貯留されるよう貯湯制御を行う通常貯湯制御部（Ｓ２０４）と、を備えている。
【００８８】
また、貯湯式給湯装置１００は、使用湯量算出部により算出された第１所定期間に使用された湯の使用量が特定条件を満たしたか否かに基づいて当日にタンク内の湯が大量に使用されたか否かを判定する条件判定部（Ｓ２０２）を備えている。また、貯湯式給湯装置１００は、条件判定部により当日にタンク内の湯が大量に使用されたと判定された場合、当日を除く第２所定期間に使用された湯の使用量に応じた第２所定湯量の湯が加熱器により生成されてタンクに貯留されるよう貯湯制御を行う特別貯湯制御部（Ｓ２１０）と、を備えている。
【００８９】
このような構成によれば、第１所定期間に使用された湯の使用量が特定条件を満たしたか否かに基づいて当日にタンク内の湯が大量に使用されたと判定された場合、特別貯湯制御部により、当日を除く第２所定期間に使用された湯の使用量に応じた第２所定湯量の湯が加熱器により生成されてタンクに貯留されるよう貯湯制御が行われるので、大量の湯を使用した後の翌日以降の沸き上げ量を抑制することができる。
【００９０】
また、上記したように、条件判定部は、当日を除く第２所定期間における所定時間帯の湯の使用量のばらつきが第１所定閾値よりも少なく、かつ、当日の湯の使用量が第２所定閾値よりも多い場合、使用湯量算出部により算出された湯の使用量が特定条件を満たし、当日にタンク内の湯が大量に使用されたと判定する。
【００９１】
したがって、当日を除く第２所定期間における所定時間帯の湯の使用量のばらつきが第１所定閾値よりも少なく、かつ、当日の湯の使用量が第２所定閾値よりも多い場合に、特別貯湯制御部による貯湯制御を実施することができる。
【００９２】
また、上記したように、特別貯湯制御部は、当日を除く第２所定期間の湯の使用量に基づいて第２所定湯量を特定し、該第２所定湯量の湯が加熱器により生成されてタンクに貯留されるよう貯湯制御を行うことができる。
【００９３】
また、上記貯湯式給湯装置１００は、当日の湯の使用量および当日を除く第２所定期間における所定時間帯の湯の使用量のばらつきを表示部４１０、４２０に表示させる表示制御部を備えている。
【００９４】
したがって、ユーザは、当日の湯の使用量および当日を除く第２所定期間における所定時間帯の湯の使用量のばらつきを容易に認識することができる。
【００９５】
また、上記貯湯式給湯装置１００は、第１所定閾値および第２所定閾値の少なくとも一方の設定値の設定操作を受け付ける操作受付部を備えている。そして、条件判定部は、操作受付部により受け付けられた第１所定閾値および第２所定閾値の少なくとも一方の設定値を用いて当日にタンク内の湯が大量に使用されたか否かを判定する。
【００９６】
したがって、設定操作に応じた第１所定閾値および第２所定閾値の少なくとも一方の設定値を用いて当日にタンク内の湯が大量に使用されたか否かを判定することができる。
【００９７】
また、上記貯湯式給湯装置１００は、条件判定部により当日にタンク内の湯が大量に使用されたと判定された場合、当日にタンク内の湯が大量に使用された旨を報知する報知部を備えている。
【００９８】
したがって、ユーザは、当日にタンク内の湯が大量に使用されたことを容易に認識することができる。
【００９９】
また、上記貯湯式給湯装置１００は、特別貯湯制御部による貯湯制御の有効または無効を判定する有効判定部を備えている。また、特別貯湯制御部は、有効判定部により特別貯湯制御部による貯湯制御が有効と判定され、かつ、条件判定部により当日にタンク内の湯が大量に使用されたと判定された場合、当日を除く第２所定期間に使用された湯の使用量に応じた第２所定湯量の湯が加熱器により生成されてタンクに貯留されるよう貯湯制御を行う。
【０１００】
このように、特別貯湯制御部は、有効判定部により特別貯湯制御部による貯湯制御が有効と判定され、かつ、条件判定部により当日にタンク内の湯が大量に使用されたと判定された場合に、当日を除く第２所定期間に使用された湯の使用量に応じた第２所定湯量の湯が加熱器により生成されてタンクに貯留されるよう貯湯制御を行うことができる。
【０１０１】
（第２実施形態）
第２実施形態に係る貯湯式給湯装置１００の構成について説明する。本実施形態の給湯装置１００の構成は、上記第１実施形態の給湯装置１００と同じである。本実施形態の給湯装置１００の構成は、上記第１実施形態の給湯装置１００と比較して、制御装置４０の処理が異なる。
【０１０２】
上記第１実施形態の制御装置４０はＳ２０２にて、当日を除く第１所定期間における所定時間帯の湯の使用量のばらつきが第１所定閾値よりも少なく、かつ、当日の湯の使用量が第２所定閾値よりも多い場合、湯の使用量が特定条件を満たし、当日にタンク内の湯が大量に使用されたと判定するようにした。
【０１０３】
これに対し、本実施形態の制御装置４０はＳ２０２にて、当日の湯の使用量が、当日を除く第２所定期間における所定時間帯の湯の使用量の平均値よりも多い場合、湯の使用量が特定条件を満たし、当日にタンク内の湯が大量に使用されたと判定する。
【０１０４】
つまり、制御装置４０は、当日の湯の使用量が、第１所定期間から当日を除いた第２所定期間における所定時間帯の湯の使用量の平均値よりも多い場合、湯の使用量が特定条件を満たし、当日にタンク内の湯が大量に使用されたと判定する。
【０１０５】
このように、当日の湯の使用量が、第１所定期間から当日を除いた第２所定期間における所定時間帯の湯の使用量の平均値よりも多い場合、湯の使用量が特定条件を満たし、当日にタンク内の湯が大量に使用されたと判定することもできる。
【０１０６】
また、上記貯湯式給湯装置１００は、当日の湯の使用量および当日を除く第２所定期間における所定時間帯の湯の使用量の平均値を表示する表示部（４１０、４２０）に表示させる表示制御部（Ｓ３０２）を備えている。
【０１０７】
したがって、ユーザは、当日の湯の使用量および当日を除く第２所定期間における所定時間帯の湯の使用量の平均値を容易に認識することができる。
【０１０８】
（第３実施形態）
第３実施形態に係る貯湯式給湯装置１００の構成について説明する。本実施形態の給湯装置１００の構成は、上記第１実施形態の給湯装置１００と比較して、制御装置４０の処理が異なる。
【０１０９】
上記第１実施形態の制御装置４０はＳ２１０にて、当日を除く第２所定期間の湯の使用量に基づいて第２所定湯量を特定し、該第２所定湯量の湯が加熱器により生成されてタンクに貯留されるよう貯湯制御を行うようにした。
【０１１０】
これに対し、本実施形態の制御装置４０はＳ２１０にて、当日を除く第２所定期間における所定時間帯の湯の使用量に基づいて第２所定湯量を特定し、該第２所定湯量の湯が加熱器により生成されてタンクに貯留されるよう貯湯制御を行う。
【０１１１】
つまり、制御装置４０は、第１所定期間から当日を除いた第２所定期間における所定時間帯の湯の使用量に基づいて第２所定湯量を特定し、該第２所定湯量の湯が加熱器により生成されてタンクに貯留されるよう貯湯制御を行う。
【０１１２】
このように、上記特別貯湯制御部は、当日を除く第２所定期間における所定時間帯の湯の使用量に基づいて第２所定湯量を特定し、該第２所定湯量の湯が加熱器により生成されてタンクに貯留されるよう貯湯制御を行うことができる。
【０１１３】
（第４実施形態）
第４実施形態に係る貯湯式給湯装置１００の構成について説明する。本実施形態の給湯装置１００の構成は、上記第１実施形態の給湯装置１００と比較して、制御装置４０の処理が異なる。
【０１１４】
本実施形態の制御装置４０はＳ２１０にて、当日を除く第２所定期間における湯の使用量の平均値を当日の湯の使用量として第２所定湯量を特定し、該第２所定湯量の湯が加熱器により生成されてタンクに貯留されるよう貯湯制御を行う。
【０１１５】
つまり、第１所定期間から当日を除いた第２所定期間における湯の使用量の平均値を当日の湯の使用量として第２所定湯量を特定し、該第２所定湯量の湯が加熱器により生成されてタンクに貯留されるよう貯湯制御を行う。
【０１１６】
このように、上記特別貯湯制御部は、当日を除く第２所定期間における湯の使用量の平均値を当日の湯の使用量として第２所定湯量を特定し、該第２所定湯量の湯が加熱器により生成されてタンクに貯留されるよう貯湯制御を行うことができる。
【０１１７】
（第５実施形態）
第５実施形態に係る貯湯式給湯装置１００の構成について説明する。本実施形態の給湯装置１００の構成は、上記第１実施形態の給湯装置１００と比較して、制御装置４０の処理が異なる。
【０１１８】
本実施形態の制御装置４０はＳ２１０にて、当日を除く第２所定期間における所定時間帯の湯の使用量の平均値を当日の湯の使用量として第２所定湯量を特定し、該第２所定湯量の湯が加熱器により生成されてタンクに貯留されるよう貯湯制御を行う。
【０１１９】
つまり、制御装置４０は、第１所定期間から当日を除いた第２所定期間における湯の使用量の平均値を当日の湯の使用量として第２所定湯量を特定し、該第２所定湯量の湯が加熱器により生成されてタンクに貯留されるよう貯湯制御を行う。
【０１２０】
このように、上記特別貯湯制御部は、当日を除く第２所定期間における所定時間帯の湯の使用量の平均値を当日の湯の使用量として第２所定湯量を特定し、該第２所定湯量の湯が加熱器により生成されてタンクに貯留されるよう貯湯制御を行うことができる。
【０１２１】
（他の実施形態）
（１）上記各実施形態では、第１所定期間を直近の１週間として説明したが、第１所定期間は直近の１週間に限定されるものではない。
【０１２２】
（２）上記各実施形態では、第１所定期間から当日を除いた期間を第２所定期間としたが、第２所定期間は、必ずしも第１所定期間から当日を除いた期間に限定されるものではない。例えば、第１所定期間から当日と前日を除いた期間を第２所定期間としてもよい。
【０１２３】
（３）上記各実施形態では、水を加熱して湯を生成する加熱器としてヒートポンプユニット２０を用いたが、ヒートポンプユニット２０以外の装置を用いて加熱器を構成することもできる。
【０１２４】
（４）上記第１実施形態では、Ｓ３０２にて、当日の湯の使用量および当日を除く第２所定期間における所定時間帯の湯の使用量のばらつきの両方を表示部４１０、４２０に表示させるようにした。これに対し、当日の湯の使用量および当日を除く第２所定期間における所定時間帯の湯の使用量のばらつきの少なくとも一方を表示部４１０、４２０に表示させるようにしてもよい。
【０１２５】
（５）上記第２実施形態では、Ｓ３０２にて、当日の前記湯の使用量および当日を除く前記第２所定期間における所定時間帯の前記湯の使用量のばらつきの両方を表示部（４１０、４２０）に表示させるようにした。これに対し、当日の前記湯の使用量および当日を除く前記第２所定期間における所定時間帯の前記湯の使用量のばらつきの少なくとも一方を表示部（４１０、４２０）に表示させるようにしてもよい。
【０１２６】
（６）上記各実施形態では、Ｓ３０２にて制御装置４０は、湯の使用量のばらつきとして特定された標準偏差が閾値以上であれば「ばらつき大」として表示し、標準偏差が閾値未満であれば「ばらつき小」として表示するようにした。これに対し、湯の使用量のばらつきを、大、中、小のように表示してもよい。また、湯の使用量のばらつきを標準偏差の値として表示してもよい。
【０１２７】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１２８】
（まとめ）
上記各実施形態の一部または全部で示された第１の観点によれば、貯湯式給湯装置は、水を加熱して湯を生成する加熱器と、加熱器により加熱された湯を貯留するタンクと、を備えている。また、第１所定期間に使用されたタンク内の湯の使用量を算出する使用湯量算出部と、使用湯量算出部により算出された第１所定期間に使用された湯の使用量に応じた第１所定湯量の湯が加熱器により生成されてタンクに貯留されるよう貯湯制御を行う通常貯湯制御部と、を備えている。また、使用湯量算出部により算出された第１所定期間に使用された湯の使用量が特定条件を満たしたか否かに基づいて当日にタンク内の湯が大量に使用されたか否かを判定する条件判定部（Ｓ２０２）を備えている。さらに、条件判定部により当日にタンク内の湯が大量に使用されたと判定された場合、当日を除く第２所定期間に使用された湯の使用量に応じた第２所定湯量の湯が加熱器により生成されてタンクに貯留されるよう貯湯制御を行う特別貯湯制御部を備えている。
【０１２９】
また、第２の観点によれば、条件判定部は、当日を除く第２所定期間における所定時間帯の湯の使用量のばらつきが第１所定閾値よりも少なく、かつ、当日の湯の使用量が第２所定閾値よりも多い場合、使用湯量算出部により算出された湯の使用量が特定条件を満たし、当日にタンク内の湯が大量に使用されたと判定する。
【０１３０】
このように、条件判定部は、当日を除く第２所定期間における所定時間帯の湯の使用量のばらつきが第１所定閾値よりも少なく、かつ、当日の湯の使用量が第２所定閾値よりも多い場合、使用湯量算出部により算出された湯の使用量が特定条件を満たし、当日にタンク内の湯が大量に使用されたと判定することができる。
【０１３１】
また、第３の観点によれば、条件判定部は、当日の湯の使用量が、当日を除く第２所定期間における所定時間帯の湯の使用量の平均値よりも多い場合、使用湯量算出部により算出された湯の使用量が特定条件を満たし、当日にタンク内の湯が大量に使用されたと判定する。
【０１３２】
このように、条件判定部は、当日の湯の使用量が、当日を除く第２所定期間における所定時間帯の湯の使用量の平均値よりも多い場合、使用湯量算出部により算出された湯の使用量が特定条件を満たし、当日にタンク内の湯が大量に使用されたと判定することができる。
【０１３３】
また、第４の観点によれば、特別貯湯制御部は、当日を除く第２所定期間の湯の使用量に基づいて第２所定湯量を特定し、該第２所定湯量の湯が加熱器により生成されてタンクに貯留されるよう貯湯制御を行う。
【０１３４】
このように、特別貯湯制御部は、当日を除く第２所定期間の湯の使用量に基づいて第２所定湯量を特定し、該第２所定湯量の湯が加熱器により生成されてタンクに貯留されるよう貯湯制御を行うことができる。
【０１３５】
また、第５の観点によれば、特別貯湯制御部は、当日を除く第２所定期間における所定時間帯の湯の使用量に基づいて第２所定湯量を特定し、該第２所定湯量の湯が加熱器により生成されてタンクに貯留されるよう貯湯制御を行う。
【０１３６】
このように、特別貯湯制御部は、当日を除く第２所定期間における所定時間帯の湯の使用量に基づいて第２所定湯量を特定し、該第２所定湯量の湯が加熱器により生成されてタンクに貯留されるよう貯湯制御を行うことができる。
【０１３７】
また、第６の観点によれば、特別貯湯制御部は、当日を除く第２所定期間における湯の使用量の平均値を当日の湯の使用量として第２所定湯量を特定し、該第２所定湯量の湯が加熱器により生成されてタンクに貯留されるよう貯湯制御を行う。
【０１３８】
このように、特別貯湯制御部は、当日を除く第２所定期間における湯の使用量の平均値を当日の湯の使用量として第２所定湯量を特定し、該第２所定湯量の湯が加熱器により生成されてタンクに貯留されるよう貯湯制御を行うことができる。
【０１３９】
また、第７の観点によれば、特別貯湯制御部は、当日を除く第２所定期間における所定時間帯の湯の使用量の平均値を当日の湯の使用量として第２所定湯量を特定し、該第２所定湯量の湯が加熱器により生成されてタンクに貯留されるよう貯湯制御を行う。
【０１４０】
このように、特別貯湯制御部は、当日を除く第２所定期間における所定時間帯の湯の使用量の平均値を当日の湯の使用量として第２所定湯量を特定し、該第２所定湯量の湯が加熱器により生成されてタンクに貯留されるよう貯湯制御を行うことができる。
【０１４１】
また、第８の観点によれば、貯湯式給湯装置は、当日の湯の使用量および当日を除く第２所定期間における所定時間帯の湯の使用量のばらつきの少なくとも一方を表示部に表示させる表示制御部を備えている。
【０１４２】
したがって、ユーザは、当日の湯の使用量および当日を除く第２所定期間における所定時間帯の湯の使用量のばらつきの少なくとも一方を容易に認識することができる。
【０１４３】
また、第９の観点によれば、貯湯式給湯装置は、第１所定閾値および第２所定閾値の少なくとも一方の設定値の操作を受け付ける操作受付部を備えている。さらに、条件判定部は、操作受付部により受け付けられた第１所定閾値および第２所定閾値の少なくとも一方の設定値を用いて当日にタンク内の湯が大量に使用されたか否かを判定する。
【０１４４】
したがって、設定操作に応じた第１所定閾値および第２所定閾値の少なくとも一方の設定値を用いて当日にタンク内の湯が大量に使用されたか否かを判定することができる。
【０１４５】
また、第１０の観点によれば、貯湯式給湯装置は、当日の湯の使用量および当日を除く第２所定期間における所定時間帯の湯の使用量の平均値を表示部に表示させる表示制御部を備えている。
【０１４６】
したがって、ユーザは、当日の湯の使用量および当日を除く第２所定期間における所定時間帯の湯の使用量の平均値を容易に認識することができる。
【０１４７】
また、第１１の観点によれば、貯湯式給湯装置は、条件判定部により当日にタンク内の湯が大量に使用されたと判定された場合、当日にタンク内の湯が大量に使用された旨を報知する報知部を備えている。
【０１４８】
したがって、ユーザは、当日にタンク内の湯が大量に使用されたことを容易に認識することができる。
【０１４９】
また、第１２の観点によれば、貯湯式給湯装置は、特別貯湯制御部による貯湯制御の有効または無効を判定する有効判定部を備えている。さらに、特別貯湯制御部は、有効判定部により特別貯湯制御部による貯湯制御が有効と判定され、かつ、条件判定部により当日にタンク内の湯が大量に使用されたと判定された場合、当日を除く第２所定期間に使用された湯の使用量に応じた第２所定湯量の湯が加熱器により生成されてタンクに貯留されるよう貯湯制御を行う。
【０１５０】
このように、特別貯湯制御部は、有効判定部により特別貯湯制御部による貯湯制御が有効と判定され、かつ、条件判定部により当日にタンク内の湯が大量に使用されたと判定された場合に、当日を除く第２所定期間に使用された湯の使用量に応じた第２所定湯量の湯が加熱器により生成されてタンクに貯留されるよう貯湯制御を行うことができる。
【０１５１】
なお、上記実施形態における構成と特許請求の範囲の構成との対応関係について説明すると、Ｓ１００の処理が使用湯量算出部に相当し、Ｓ２０４に処理が通常貯湯制御部に相当し、Ｓ２０２の処理が条件判定部に相当し、Ｓ２１０に処理が特別貯湯制御部に相当する。また、Ｓ３０２の処理が表示制御部に相当し、Ｓ２０８の処理が報知部に相当し、Ｓ２０６の処理が有効判定部に相当する。
【符号の説明】
【０１５２】
１００  貯湯式給湯装置
１０    タンク
２０    ヒートポンプユニット
４０    制御装置
４０２  記憶部
４１    浴室内コントローラ
４１０  表示部
４２    浴室外コントローラ
４２０  表示部
５９    流量カウンタ
６３    湯張り用流量カウンタ
【図１】
2019045074.tif 000003
【図２】
2019045074.tif 000004
【図３】
2019045074.tif 000005
【図４】
2019045074.tif 000006
【図５】
2019045074.tif 000007
【図６】
2019045074.tif 000008
【図７】
2019045074.tif 000009